【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
レンズ（１０）を用いて、見ている眼の網膜（１１）上に光学装置によって電子画像データ、たとえばビデオ画像の網膜投影を行うための光学方法であって、画素において前記網膜（１１）上に入射するすべての光ビームが、
ａ）前記光学装置の入射開口部に入射するために、収束ビームを生成する集光光学素子（５）を通過し、次に２軸偏向ミラーを通過するか、または
ｂ）湾曲した散乱スクリーン（３）上で、一次画像から生成され、それによって、各画素から現れる広い散乱光円錐が無色の球レンズシステム（１３）によって収束光ビームに集光され、前記無色の球レンズシステム内部に配置される前記光学装置の前記入射開口部（１）を通過し、
ビームスプリッタ（８）によって反射され、焦点で交差し、次に完全または部分的に反射する凹面鏡（９）に直角に通過し、前記ビームスプリッタ（８）を通過し、最終的に前記光学装置の射出開口部（２）に達し、前記システムが、前記射出開口部（２）に前記入射開口部（１）を結像する前記ビームスプリッタ（８）および前記凹面鏡（９）を含み、それによって前記ビームスプリッタ（８）および前記凹面鏡（９）からなる前記システムが、前記射出開口部（２）に前記入射開口部（１）の画像を生成し、それによって前記見ている眼の前記網膜（１１）上のすべての画素の光ビームが、前記入射開口部（１）および前記射出開口部（２）を通過する必要があり、前記レンズ（１０）および前記見ている眼の瞳が、前記射出開口部（２）の前に０以上である間隔Ｓで位置している、網膜投影を行うための光学方法。
【請求項２】
前記見ている眼の前記網膜（１１）上の各画素に属している中心ビーム、すなわち、前記入射開口部（１）から前記射出開口部（２）の中央を通るビームが、前記凹面鏡（９）に垂直またはほぼ垂直にそれぞれ入射することを特徴とする請求項１に記載の方法。
【請求項３】
球面の凹面鏡（９）が用いられ、前記入射開口部（１）から前記網膜（１１）上の画素に関連する収束光ビームが、その球の半径がＲである前記球面の凹面鏡（９）に達する前に、
ａ）正視で見ている眼の場合には、光学距離Ｒ／２だけ前記凹面鏡（９）の面から遠くにあり、
ｂ）前記網膜（１１）上に鮮明な画像を実現するために前記見ている眼の視力不足を補正する場合には、前記射出開口部（２）に必要なビームの発散または収束を行うために、Ｒ／２よりわずかに大きいか、またはわずかに小さい光学距離だけ前記凹面鏡（９）の面から遠くにある点で交差することを特徴とする請求項１〜２のいずれか一項に記載の方法。
【請求項４】
前記入射開口部（１）の周囲の自由空間において、イメージングセンサ（１２）（すなわち画像センサまたは多分割センサ）は、眼の面が前記ビームスプリッタ（８）および前記凹面鏡（９）によって完全または部分的に結像されるように配置され、それによって前記センサ（１２）の信号から、前記見ている眼の動きと共に、素子（１４）、（４）、（５）、（６）、（７）、（１２）、（８）、（９）を含む全体的な光学装置をシフトするサーボモータを操作するための信号が生成され、前記射出開口部（２）が前記見ている眼の瞳の動きに従うようになっていることを特徴とする請求項１〜３のいずれか一項に記載の方法。
【請求項５】
単色またはカラーの光ビーム、たとえばさまざまなカラーレーザビームの混合物が、そのカラー成分の強度において個々の画素の成分によって連続的に変調され、前記入射開口部（１）において必要なビーム収束を生成するための１つまたは複数のレンズ光学システム（５）を通過し、次に光ビームが、２つの回転軸を中心にして前記入射開口部（１）に配置される偏向ミラー（７）のシステムによって偏向され、網膜投影を構成する際に各画素が前記網膜（１１）上の画像の中の所望の位置で集光されるように、光ビームが必要な角度だけ各画素に関して偏向されるように、前記走査ミラーシステム（７）が電気信号によって操作されることを特徴とする請求項１〜４のいずれか一項に記載の方法。
【請求項６】
前記見ている眼の前記網膜（１１）上に投影されることになっている画像が、すりガラスまたはファイバプレートの出射面である散乱スクリーン（３）上に最初に生成されることを特徴とする請求項１〜４のいずれか一項に記載の方法。
【請求項７】
前記無色の球レンズシステム（１３）の出射面にある主平面が、前記光学装置の前記入射開口部（１）にあることを特徴とする請求項１〜４および６のいずれか一項に記載の方法。
【請求項８】
前記一次画像が、単色または多色の光ビームを用いて、二軸走査ミラー、たとえば、ミラースキャナーによって、散乱スクリーンおよび／または透明スクリーン（３）の前側または後側に描画されることを特徴とする請求項６に記載の方法。
【請求項９】
前記イメージングセンサ（１２）の信号から、眼の面における照射が、ビデオディスプレイの所望の明るさが設定されるように検知されることを特徴とする請求項１〜８のいずれか一項に記載の方法。
【請求項１０】
前記イメージングセンサ（１２）の信号から、前記見ている眼の見ている方向が決定され、「光学メニューツールバー」としてビデオ投影において規定されるさまざまな規定された角度の視野を見ることによって、見ている人が眼の操作によってビデオディスプレイの内容に作用することができることを特徴とする請求項１〜９のいずれか一項に記載の方法。
【請求項１１】
眼レンズ（１０）を用いて、見ている眼の網膜（１１）上に電子画像データの投影を行うための光学装置であって、前記光学装置が以下の素子、
ａ）前記光学装置の入射開口部（１）に入射するために、収束ビームを生成する補正光学素子（５）および次に配置される２軸偏向ミラー、または
ｂ）一次画像を生成するための湾曲した散乱スクリーン（３）および前記散乱スクリーンの各画素から現れる広い散乱光円錐を前記光学装置の前記入射開口部（１）を通って収束光ビームに集光するための次に続く無色の球レンズシステム（１３）、
ビームが焦点で交差するように、ビームを反射するために、ビーム経路において続くビームスプリッタ（８）、垂直またはほぼ垂直の方向にビームが当たり、その後に、前記ビームスプリッタ（８）によって完全または部分的に反射されるように設計される次に続く凹面鏡（９）および前記光学装置の射出開口部（２）を含み、前記ビームスプリッタ（８）および前記凹面鏡（９）を含む前記システムが、前記射出開口部（２）に前記入射開口部（１）を結像するように設計され、それによって前記見ている眼の前記網膜（１１）上のすべての画素の光ビームが、前記入射開口部（１）および前記射出開口部（２）を通過する必要があるようになっている、投影を行うための光学装置。
【請求項１２】
前記凹面鏡（９）が球面鏡であり、前記射出開口部（２）が前記凹面鏡（９）の球の中点に位置していることを特徴とする請求項１１に記載の装置。
【請求項１３】
前記入射開口部（１）の周囲の自由空間において、イメージングセンサ（１２）は、眼の面が前記ビームスプリッタ（８）および前記凹面鏡（９）によって完全または部分的に結像されるように配置され、前記イメージングセンサ（１２）が、素子（１４）、（４）、（５）、（６）、（７）、（１２）、（８）、（９）を含む全体的な光学装置をシフトするサーボモータを操作するためのコマンドを生成するように設計され、前記射出開口部（２）が前記見ている眼の瞳の動きに従うようになっていることを特徴とする請求項１１または１２のいずれか一項に記載の装置。
【請求項１４】
そのカラー成分の強度においてビデオ信号の個々の画素の成分によって連続的に変調される単色または多色の光ビームまたは光束を処理するために、前記入射開口部（１）において必要なビーム収束を生成するための１つまたは複数のレンズ光学システム（５）と、前記入射開口部（１）に配置され、２つの回転軸を中心にして偏向可能である偏向ミラー、たとえばミラースキャナー（７）のシステムと、を特徴とする請求項１１〜１３のいずれか一項に記載の装置。
【請求項１５】
前記散乱スクリーン（３）がファイバプレートの出射面であり、その入射面で一次画像が以下のイメージングシステムの１つ、
ａ）集積ファイバプレートを有するＣＲＴ
ｂ）照射型ＬＣＤ
ｃ）プラズマディスプレイスクリーン
ｄ）二軸光ビーム走査ミラー（ミラースキャナー）によって偏向されるビーム
によって描画されることを特徴とする請求項１１〜１３のいずれか一項に記載の装置。
【請求項１６】
前記ファイバプレートの入射面および出射面は、曲面であることを特徴とする請求項１５に記載の装置。
【請求項１７】
前記凹面鏡（９）が、球面の部分的に透明なミラーであり、網膜投影が前記部分的に透明なミラー（９）によって前記見ている眼によって見られている視野によって重ね合わせられることを特徴とする請求項１１〜１６のいずれか一項に記載の装置。